(57)【要約】【課題】血液中グルコース濃度測定のためのデータ取り込み方法において、入力されるデータに狂いが生じた場合や、データ入力の開始前に、正確な測定が可能であるように自動校正する方法を提供する。【解決手段】被測定部位による測定を行う測定プロセスと、その測定値が適正範囲であるか否かを判断する判断プロセスと、適正範囲でないと判断された場合に行う校正プロセスとを備える。校正プロセスは、判断プロセスの判断工程にて適正範囲でないと判断された場合に、周波数調整の基準値となる校正用物質に対して発光装置から測定光を照射し且つ反射光を受光部が受光できるように、校正用物質と発光部および受光部とを相対的に移動させる移動工程と、校正用物質に対して測定光を照射して反射光を受光する発光受光工程と、その反射光に基づいて分析工程における周波数調整を行う校正工程とを備える。【選択図】    図３
2004198161.tif 000002
【特許請求の範囲】
【請求項１】
血液中グルコース濃度測定のための分光測定用データ取り込み方法であって、
被測定部位による測定を行う測定プロセスと、その測定プロセスに基づく測定値が適正範囲であるか否かを判断する判断プロセスと、その判断プロセスにおいて適正範囲でないと判断された場合に測定校正を行う校正プロセスとを備え、
測定プロセスは、近赤外線を含む測定光を発光装置から発光する発光工程と、
その発光工程にて発射される測定光を用いて被測定部位に測定光が反射した反射光を受光する受光工程とを備え、
判断プロセスは、受光工程にて受光した反射光を分析する分析工程と、  その分析工程の分析前データまたは分析結果が適正範囲であるか否かを判断する判断工程とを備え、
校正プロセスは、判断工程にて適正範囲でないと判断された場合に、測定光を反射した反射光が周波数調整の基準値となる校正用物質に対して発光装置から測定光を照射し且つ反射光を受光部が受光できるように、校正用物質と発光部および受光部とを相対的に移動させる移動工程と、  校正用物質に対して測定光を照射して反射光を受光する発光受光工程と、  その発光受光工程にて受光した反射光に基づいて、分析工程における周波数調整を行う校正工程とを備えた分光測定用データ取り込み方法。
【請求項２】
校正用物質は、セラミックおよびポリスチレンとし、
校正プロセスの移動工程には、セラミックへの移動工程およびセラミックに対する発光受光工程と、ポリスチレンへの移動工程およびポリスチレンに対する発光受光工程とを含むこととした請求項１記載の分光測定用データ取り込み方法。
【請求項３】
測定プロセスの前に、分析工程におけるゼロ点調整を行う立ち上げ校正工程を行う請求項１または請求項２のいずれかに記載の分光測定用データ取り込み方法。
【請求項４】
判断工程が所定時間内に終了するか否かを判断する判断時間判断工程を含み、
その判断時間判断工程において所定時間内に判断工程が終了しなかった場合には、移動工程、発光受光工程および校正工程を行うこととした請求項１から請求項３のいずれかに記載の分光測定用データ取り込み方法。
【請求項５】
コンピュータに対し、分光測定用データ取り込み方法を実現させるためのプログラムである。
そのプログラムは、被測定部位による測定を行う測定プロセスと、その測定プロセスに基づく測定値が適正範囲であるか否かを判断する判断プロセスと、その判断プロセスにおいて適正範囲でないと判断された場合に測定校正を行う校正プロセスとを備え
測定プロセスは、近赤外線を含む測定光を発光装置から発光する発光工程と、
その発光工程にて発射される測定光を用いて被測定部位に測定光が反射した反射光を受光する受光工程とを備え、
判断プロセスは、受光工程にて受光した反射光を分析する分析工程と、  分析工程の分析前データまたは分析結果が適正範囲であるか否かを判断する判断工程とを備え、
校正プロセスは、判断工程にて適正範囲でないと判断された場合に、測定光を反射した反射光が周波数調整の基準値となる校正用物質に対して発光装置から測定光を照射し且つ反射光を受光部が受光できるように、校正用物質と発光部および受光部とを相対的に移動させる移動工程と、  校正用物質に対して測定光を照射して反射光を受光する発光受光工程と、  その発光受光工程にて受光した反射光に基づいて、分析工程における周波数調整を行う校正工程とをコンピュータに実行させるコンピュータプログラム。
【請求項６】
測定プロセスの前に、分析工程におけるゼロ点調整を行う立ち上げ校正工程を行う請求項５に記載のコンピュータプログラム。
【請求項７】
判断工程が所定時間内に終了するか否かを判断する判断時間判断工程を含み、
その判断時間判断工程において所定時間内に判断工程が終了しなかった場合には、移動工程、発光受光工程および校正工程を行うこととした請求項５または請求項６のいずれかに記載のコンピュータプログラム。
【発明の詳細な説明】
【０００１】
【発明が属する技術分野】
本発明は、非侵襲の手法による分光測定用データ取り込み技術に関する。更に詳しくは、測定対象から入力されるデータと、そのデータに狂いが生じた場合に校正するためのデータとを入力可能な分光測定用データ取り込み方法に関する。
【０００２】
【先行技術】
従来の非侵襲の手法による血糖値測定技術は、たとえば、特許文献１に記載されている。ここには、血中のグルコース濃度を非侵襲にて測定可能な測定装置を実現するための技術が開示されている。
【０００３】
【特許文献１】
特開２００２−２０２２５８号公報
【０００４】
被測定対象物を指とし、非侵襲にて血液中の成分分析を行う技術については、例えば動脈中の酸素濃度を測定する装置などが提供されている。カシオ社が製品化している「パルスオキシメータ」のカタログには、指を挿入するための開口部が備えられており、その開口部へ人差し指などを挿入し、その指へ赤外線光などを照射し、所望の測定値を算出する。
【０００５】
【発明が解決しようとする課題】
特許文献１には、被測定対象物である指を鬱血させて測定する「押圧挟持手段」が提示されているが、鬱血させるのは被測定者に対して苦痛を与えるという欠点がある。
その欠点を補完しつつ特許文献１に記載の技術を実現したプロトタイプによって４００人余りの試験を実行したところ、測定が不能となる問題が２５％ほど発生した。入力時に指がずれて測定不能となるという原因の他、測定装置へ供給される電源の電圧不安定や装置の使用時間が長期化することによる発熱などによって、入力されるデータに狂いが生じたことも原因の一つである。
【０００６】
そこで、本発明が解決しようとする課題は、入力されるデータに狂いが生じた場合や、データ入力の開始前に、正確な測定が可能であるように自動校正する分光測定用データ取り込み方法を提供することにある。
請求項１から請求項４に記載の発明は、入力されるデータに狂いが生じたら、正確な測定が可能であるように自動校正する分光測定用データ取り込み方法を提供することを目的とする。
請求項５から請求項７に記載の発明は、入力されるデータに狂いが生じたら、正確な測定が可能であるように自動校正する分光測定用データ取り込み方法をコンピュータに実行させるためのコンピュータプログラムを提供することを目的とする。
【０００７】
【課題を解決するための手段】
本発明は、上記した課題を解決するため、所定条件の下では必ず「校正プロセス」を自動的に踏むような制御手順を採用したことを特徴とする。
【０００８】
（請求項１）
請求項１記載の発明は、被測定部位による測定を行う測定プロセスと、その測定プロセスに基づく測定値が適正範囲であるか否かを判断する判断プロセスと、その判断プロセスにおいて適正範囲でないと判断された場合に測定校正を行う校正プロセスとを備えた血液中グルコース濃度測定のための分光測定用データ取り込み方法に係る。
測定プロセスは、近赤外線を含む測定光を発光装置から発光する発光工程と、
その発光工程にて発射される測定光を用いて被測定部位に測定光が反射した反射光を受光する受光工程とを備える。
また、判断プロセスは、受光工程にて受光した反射光を分析する分析工程と、
分析工程の分析前データまたは分析結果が適正範囲であるか否かを判断する判断工程とを備える。
また、校正プロセスは、判断工程にて適正範囲でないと判断された場合に、測定光を反射した反射光が周波数調整の基準値となる校正用物質に対して発光装置から測定光を照射し且つ反射光を受光部が受光できるように、校正用物質と発光部および受光部とを相対的に移動させる移動工程と、  校正用物質に対して測定光を照射して反射光を受光する発光受光工程と、  その発光受光工程にて受光した反射光に基づいて、分析工程における周波数調整を行う校正工程とを備える。
【０００９】
（用語説明）
「被測定部位」とは、測定を行う被測定者の指、頬、手の平、腕など、身体の一部位である。非侵襲にて血液中のグルコース濃度を測定することができる。測定原理については、例えば、特開2002-202258号に記載されている。
特開2002-202258号に記載された「血液中グルコース濃度測定」の原理を簡単に説明する。波長範囲０．８〜２．５μｍの近赤外光の波長を連続的に微細分割し被測定対象物に照射する近赤外照射手段と、 前記近赤外線照射手段により照射され前記被測定対象物を透過した光を受光し光電変換する光電変換手段と、 前記光電変換手段により光電変換された検出信号に基づいて得られた吸光度スペクトルを解析演算することにより前記被測定対象物内の血液中のグルコース濃度を定量するグルコース濃度算出手段とを備えることを特徴とする分光光学的血糖値測定装置を用いての測定である。
【００１０】
「分析工程の分析前データまたは分析結果が適正範囲でない場合」とは、現実にあり得ないような範囲をいう。測定プロセスにおける受光工程でのデータ異常や、測定プロセスを司るハードウエアの異常またはソフトウエアの暴走などが原因となって、分析前データ（測定プロセスの受光工程において入手した受光データ）が正常値の範囲ではなくなるのである。
「移動工程」については、移動工程そのものが一因となって、分析前データの異常を来さないようなハードウエア構成が必要となる。例えば、移動機構においてモータを採用する場合には、モータの雑音や振動が発光工程や受光工程に影響のないように配置したり、そのようなモータを採択する。
「校正用物質と発光部および受光部とを相対的に移動させる」とは、校正用物質を移動させてもよいし、発光部および受光部を移動させてもよいし、双方を移動させてもよい。相対的に移動すれば、移動させる趣旨を達成できるからである。
【００１１】
（請求項２）
請求項２記載の発明は、請求項１記載の分光測定用データ取り込み方法を限定したものである。
すなわち、校正用物質は、セラミックおよびポリスチレンとする。また、校正プロセスの移動工程には、セラミックへの移動工程およびセラミックに対する発光受光工程と、ポリスチレンへの移動工程およびポリスチレンに対する発光受光工程とを含むこととした分光測定用データ取り込み方法である。
測定光をポリスチレンの片に照射した反射光がなす波長は明確なピークをなし、測定光をセラミックの片に照射した反射光がなす波長はフラットな波形をなす。このため、フラットな波形を用いてゼロ点調整しつつピークを用いて校正が可能であるので、校正には適している。
セラミックへの移動工程およびセラミックに対する発光受光工程と、ポリスチレンへの移動工程およびポリスチレンに対する発光受光工程とは、どちらが先でどちらが後でもよい。
【００１２】
（請求項３）
請求項３記載の発明は、請求項１または請求項２のいずれかに記載の分光測定用データ取り込み方法を限定したものであり、測定プロセスの前に、分析工程におけるゼロ点調整を行う立ち上げ校正工程を行うこととした分光測定用データ取り込み方法に係る。
すなわち、立ち上がりの際には、測定プロセスの前に必ずゼロ点調整としての校正工程を入れようというものである。
【００１３】
（請求項４）
請求項４記載の発明は、請求項１から請求項３のいずれかに記載の分光測定用データ取り込み方法を限定したものであり、
判断工程が所定時間内に終了するか否かを判断する判断時間判断工程を含み、
その判断時間判断工程において所定時間内に判断工程が終了しなかった場合には、移動工程、発光受光工程および校正工程を行うこととした分光測定用データ取り込み方法に係る。
すなわち、判断工程が所定よりも長く掛かる場合を「エラー」とし、校正工程を踏ませるようにしたものである。
【００１４】
（請求項５）
請求項５記載の発明は、コンピュータに対し、血液中グルコース濃度測定のための分光測定用データ取り込み方法を実現させるためのプログラムである。
そのプログラムは、被測定部位による測定を行う測定プロセスと、その測定プロセスに基づく測定値が適正範囲であるか否かを判断する判断プロセスと、その判断プロセスにおいて適正範囲でないと判断された場合に測定校正を行う校正プロセスとを備える。
そして、測定プロセスは、近赤外線を含む測定光を発光装置から発光する発光工程と、その発光工程にて発射される測定光を用いて被測定部位に測定光が反射した反射光を受光する受光工程とを備える。  また、判断プロセスは、受光工程にて受光した反射光を分析する分析工程と、  分析工程の分析前データまたは分析結果が適正範囲であるか否かを判断する判断工程とを備える。  また、校正プロセスは、判断工程にて適正範囲でないと判断された場合に、測定光を反射した反射光が周波数調整の基準値となる校正用物質に対して発光装置から測定光を照射し且つ反射光を受光部が受光できるように、校正用物質と発光部および受光部とを相対的に移動させる移動工程と、  校正用物質に対して測定光を照射して反射光を受光する発光受光工程と、  その発光受光工程にて受光した反射光に基づいて、分析工程における周波数調整を行う校正工程とを備える。
【００１５】
（請求項６）
請求項６記載の発明は、請求項５に記載のコンピュータプログラムを限定したものであり、
測定プロセスの前に、分析工程におけるゼロ点調整を行う立ち上げ校正工程を行うコンピュータプログラムに係る。
【００１６】
（請求項７）
請求項７記載の発明は、請求項５または請求項６のいずれかに記載のコンピュータプログラムを限定したものであり、
判断工程が所定時間内に終了するか否かを判断する判断時間判断工程を含み、
その判断時間判断工程において所定時間内に判断工程が終了しなかった場合には、移動工程、発光受光工程および校正工程を行うこととしたコンピュータプログラムに係る。
【００１７】
請求項５から請求項７に記載したコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−ＲＯＭ、ＭＯ（光磁気ディスク）、ＤＶＤ−ＲＯＭなどである。
また、これらの発明に係るプログラムを格納したコンピュータから、通信回線を通じて他のコンピュータへ伝送することも可能である。
【００１８】
【発明の実施の形態】
以下、本発明を実施の形態及び図面に基づいて、更に詳しく説明する。ここで使用する図面は、図１乃至図４である。図１は、本発明の実施形態を示すブロック図である。図２および図３は、第一、第二の実施形態を示すフローチャートである。図４は、ハードウエア構成を示すブロック図である。
【００１９】
（図１）
図１に示すのは、特開2002-202258号に代表される非侵襲による血液中のグルコース濃度を測定する分光光学的血糖値測定装置の基本構造を示している。
特開2002-202258号に開示される分光光学的血糖値測定装置は、波長範囲０．８〜２．５μｍの近赤外光の波長を連続的に微細分割し被測定対象物に照射する近赤外照射手段と、前記近赤外照射手段により照射され前記被測定対象物を透過した光を受光し光電変換する光電変換手段と、前記光電変換手段により光電変換された検出信号に基づいて得られた吸光度スペクトルを解析演算することにより前記被測定対象物内の血液中のグルコース濃度を定量するグルコース濃度算出手段とを備えることを特徴とする。
【００２０】
光源と、前記光源から光が入射され、波長範囲０．８〜２．５μｍの近赤外光を出力する音響光学可変振動フィルターと、前記音響光学可変振動フィルターに音響振動を加える高周波振動子と、前記高周波振動子に高周波を印加する高周波発生装置とを備えていてもよい。
また、前記音響光学可変振動フィルターの媒質が、複屈折結晶材料に限定してもよい。
また、光電変換手段が、該被測定対象物を透過した光を受光し、吸光度スペクトルを与える検出信号を供給する受光素子を備えた光電変換装置であることとしてもよい。
また、グルコース濃度算出手段が、前記受光素子からの検出信号が供給される吸光度スペクトル波形解析装置および該吸光度スペクトルをグルコース濃度に換算するグルコース濃度演算装置であるとし、更に、前記吸光度スペクトルにおいて選択される波長が、１．４４μｍ、１．９４μｍおよび０．８〜２．５μｍ帯域の少なくとも５個以上の各波長における吸光度に基づく換算値であるとしてもよい。
【００２１】
音響光学可変振動フィルターを構成要素とする近赤外分光手段を有する近赤外照射手段は、光源と、該光源から光が入射される音響光学可変振動フィルターと、 該音響光学可変振動フィルターに音響振動を加える高周波振動子と、該高周波振動子に高周波を印加する高周波発生装置とから構成されるものである。具体的には、図１に例示するように、高周波電源１、高周波振動子２、音響光学可変振動フィルター３および光源４とを備えて構成される。
【００２２】
高周波発生装置１は、通常使用されるもので特に限定されるものではなく、任意に制御できる高周波の発生能力のあるものであればよい。高周波振動子２は音響光学可変振動フィルター３に音響振動を与えるものでよく、ピエゾ素子が用いられる。ピエゾ素子に印加する高周波としては、音響光学可変振動フィルターの媒質の種類および性能等にも依存するが、波長範囲０．８〜２．５μｍの近赤外光が分光されるように制御すればよく、３０〜１００ＭＨｚ、特に３０〜８０ＭＨｚが好ましい。光源４としては、タングステン？ハロゲンランプ等が用いられるが、これに限定されるものではない。
【００２３】
音響光学可変振動フィルター３の媒質は、複屈折結晶分光材料からなるものである。音響光学可変振動フィルターにおいては、音響振動が該複屈折結晶に加えられると周期的な密度の変化が生じ、密度の変化による屈折率の変化が音響振動の方向に波状的に伝搬する。従って、そこへ光が入射されると各波面の屈折率に基づく一部の光線が反射する。各々の行路長の差が生じ、近赤外光が出力されるように設計される。
【００２４】
複屈折結晶分光材料としては、特に限定されるものではなく任意に選択することができるが、血中グルコースの測定には波長範囲０．８〜２．５μｍの微細分割された照射光の出力可能な複屈折結晶分光材料を選択すればよい。例えば、二酸化テルル（ＴｅＯ2）、ニオビウム酸リチウム（ＬｉＮｂＯ3）、タンタル酸リチウム（ＬｉＴａＯ3 ）、リン化ガリウム（ＧａＰ）、モリブデン酸鉛（ＰｂＭｏＯ4 ）、ゲルマニウム（Ｇｅ）、リン化イリジウム（ＩｎＰ）、セレン化ヒ素タリウム（Ｔｉ3ＡｓＳｅ3）、石英ガラス（ＳｉＯ2 ）、方解石（ＣａＣＯ3）、水（Ｈ2 Ｏ）等を挙げることができるが、近赤外光の波長を微細分割した光が得られるように材料の種類、組成等を制御したものが好ましく、特に二酸化テルルが好ましい。
【００２５】
このような複屈折結晶分光材料を用いることにより得られる近赤外光の人体への照射によりグルコースの濃度算出に有効な吸光度スペクトルを形成させることができる。本発明の分光光学的血糖値測定装置に用いる好適な音響光学可変波長フィルターとしては、例えば、米国特許第５，１２０，９６１号明細書および特公表１０−５１２６７８号公報等に記載されている超音波光学チューナブルフィルター（ＡＯＴＦ）を挙げることができる。また、音響光学可変振動フィルターの温度ドリフトを回避するには特開平１０−３８６９０号公報に記載の方法を採用することができる。
【００２６】
照射光としては波長０．８〜２．５μｍの範囲の近赤外光が好適であり、この範囲より短波長ではグルコースの吸光度測定の信号レベルが微弱となり解析には適さない。一方、この範囲より長波長では吸光が強くなり透過性を欠如するという難点が生ずる。
【００２７】
近赤外照射手段において、被測定対象物に照射される波長範囲０．８〜２．５μｍの近赤外光の波長を連続的に微細分割した光は、分解能が０．００１μｍ以下の微細な分光であり、波長分解としては１ｎｍ以下のものが好ましい。このように微細に分割した光を照射光とすることにより多点計測が可能であり、蛋白とグルコースの結合の形態によりいくつかの変性体として存在し、各々、異なった波長による吸光を生ずる種々の血中グルコースを捉えることができる。この多点計測により、変異体の吸光現象を詳細に捉えることに成功した結果、総合的な解析ができるので血中グルコース濃度の正確な算出が可能となる。計測点数としては、例えば、最低２００点、通常、数百点を選択することができる。
【００２８】
次に、近赤外照射手段における近赤外光の照射方式について説明する。照射方式として次の三種の方式を挙げることができる。
第１の方式は、前記近赤外光が、被測定対象物に照射され該被測定対象物を透過した光を直接受光素子に集光する透過方式である。
第２の方式は、前記近赤外光が、被測定対象物に照射され該被測定対象物を透過した光を該被測定対象物の背面側に設置された反射板で反射させ前記被測定対象物を再度透過させた光を受光素子に集光する透過反射方式である。
第３の方式は、前記近赤外光を被測定対象物に照射させ、拡散反射した光を受光素子に集光する拡散反射方式である。
【００２９】
いずれの方式も採用することができるが、第１の透過方式が装置面および操作上は簡便である。
第１の透過方式は、具体的には図１に示されるように本発明の分光光学的血糖値測定装置の構成中、照射光ｃが被測定対象物７に照射され透過した光が受光ｄとして得られる方式である。
被測定対象としては、人体から採取した血液試料、人体の一部、例えば、血流の観察に適した手足の指、耳朶その他毛細血管が存在する部位等を利用することができる。
【００３０】
測定対象物７および該測定対象物７を透過した光ｄを誘導する光ファイバー８、レンズ９および光を受光し、検出信号に光電変換する受光素子１０から構成されることが示されている。
受光素子１０は、特に限定されるものではないが、例えば、セラミックス基板上に多結晶膜として製作されるものが用いられる。受光材料としては、前記透過光を効率よく集光することができる材質のものを採用することが好ましく、例えば、Ｐｂｓを使用することができる。
【００３１】
グルコース濃度算出手段は、前記吸光度スペクトルを解析演算してグルコース濃度に換算するものであり、演算電子回路および解析電子回路から構成される。図１で示すように、受光素子１０にて得られたアナログ検出信号ｅが光電変換部１１を介してデジタル検出信号ｆに変換され、スペクトル波形解析を行う演算制御部１２に入力され、演算電子回路および解析電子回路にて解析・演算が行なわれる。測定結果および識別結果は、数値表示手段１３および数値電信手段１４に伝送され、例えば、血糖値測定装置本体のモニターにスペクトルと共に数値および関係情報を表示することができ、また、必要に応じて所定の電子ファイルに伝送し管理することもできる。
【００３２】
解析電子回路においては、医学臨床データとして構成された「血液スペクトル・データベース」が蓄積され「血液スペクトル・データベース」には血中グルコース濃度が異なるもの、蛋白とグルコースの結合状態の異なるもの等の多数のスペクトルデータが含まれているので、計測により得られた血液スペクトルをこれらのデータと照合・対比することにより該当するものから血中グルコース濃度の測定結果を得ることができる。また、解析電子回路においては、定量結果に加えて蛋白とグルコースの結合による変異体の所在、レベル等の識別結果を得ることができる。
【００３３】
前述の分光光学的血糖値測定装置においては、前記音響光学可変振動フィルターを組み入れており、迅速な計測が可能であり、具体的には数千点／秒程度の計測速度を達成することができる。計測は各波長において数回〜数１０回の繰り返し計測を行なって平均値を採取し、また、設定波長範囲を数回〜数１０回走査して平均値を採取することにより計測データの確度を高めることができる。
【００３４】
（図２）
続いて、図２に基づいて、第一の実施形態における分析結果の出力までを説明する。
大きく３つのプロセスがあり、そのプロセスとは、被測定部位による測定を行う測定プロセスと、その測定プロセスに基づく測定値が適正範囲であるか否かを判断する判断プロセスと、その判断プロセスにおいて適正範囲でないと判断された場合に測定校正を行う校正プロセスである。そして、校正プロセスを経た場合には、測定プロセスへ戻るようにしている。なお、これらの制御プロセスのＯＳには、ＴＲＯＮを採用している。ＯＳにＴＲＯＮを採用したことで、MS-DOSを採用していたものと比較して、立ち上がりが素早くなり、安定性も増した。なお、ＯＳとしては、ＴＲＯＮ、MS-DOSに限られず、windows、Linuxなどを採用することも可能である。
【００３５】
測定プロセスは、近赤外線を含む測定光を発光装置から発光する発光工程と、その発光工程にて発射される測定光を用いて被測定部位に測定光が反射した反射光を受光する受光工程とを備える。また、判断プロセスは、受光工程にて受光した反射光を分析する分析工程と、分析工程の分析前データが適正範囲であるか否かを判断する判断工程からなる。判断プロセスにて、適正範囲であると判断されれば分析結果を出力して終了する。適正範囲ではないと判断されれば、校正プロセスを経て測定プロセスへ戻る。
【００３６】
また、校正プロセスは、判断工程にて適正範囲でないと判断された場合に、測定光を反射した反射光が周波数調整の基準値となる校正用物質に対して発光装置から測定光を照射し且つ反射光を受光部が受光できるように、校正用物質と発光部および受光部とを相対的に移動させる移動工程と、校正用物質に対して測定光を照射して反射光を受光する発光受光工程と、その発光受光工程にて受光した反射光に基づいて、分析工程における周波数調整を行う校正工程からなる。
【００３７】
判断工程による「分析工程の分析前データが適正範囲でない場合」とは、現実にあり得ないような範囲をいう。測定プロセスにおける受光工程でのデータ異常や、測定プロセスを司るハードウエアの異常またはソフトウエアの暴走などが原因となって、分析前データ（測定プロセスの受光工程において入手した受光データ）が正常値の範囲ではなくなるのである。
なお、判断対称が分析前データではなく、分析結果、すなわち血液中のグルコース濃度としての演算結果であってもよい。
【００３８】
校正プロセスを備えた結果、被測定者からのデータ入力に異常が生じた場合には校正プロセスを経てデータ入力をやり直せる。このため、装置の異常を原因とするデータ入力ミスが減少した。なお、校正プロセスの煩わしさには我慢を強いるものの、結果を得たい被測定者には協力は得やすいことも判明した。
【００３９】
（図３）
続いて、図３に基づいて、第二の実施形態における分析結果の出力までを説明する。図２に示す実施形態との相違点は、測定プロセスの前に校正プロセスを必ず実行する点である。
このようにすれば、測定プロセスを司るハードウエアの異常またはソフトウエアの暴走などが原因などによって、分析工程の分析前データが適正範囲でなくなるという事態を未然に防ぐことができる。この結果、使用直後のデータ入力異常が減少した。
【００４０】
（図４）
図４には、校正部および校正スイッチとＯＳにＴＲＯＮを採用した制御部との関係、前述のＡＯＴＦを用いた分光分析器と信号入力部や制御部との関係などを、ブロック図にて示している。ＯＳにＴＲＯＮを採用したことで、MS-DOSを採用していたものと比較して、立ち上がりが素早くなり、安定性も増した。
なお、詳しい図示は省略するが、図４に示すハードウエアは一体に形成している。すなわち、被測定者がデータを入力するための指当て部、異常が発生した際に校正を実行させるための校正スイッチ、分析結果を表示する表示器などが一体であるので、被測定者にとって使いやすいものとして提供している。
【００４１】
（図５）
図５は、第二の実施形態を示す。図１に示す実施形態との相違点は、二点ある。第一の相違点は、図１に示す実施形態にて用いていた光ファイバ６，８を省略している点である。第二の相違点は、図１に示す実施形態では、被測定対象を通過した照射光を受光するものとして示しているが、図５に示す実施形態では、被測定対象を反射した照射光を受光するものとして示している。図５に示す実施形態によっても、血液中グルコース濃度測定のための測定データを取得することができる。
【００４２】
【発明の効果】
請求項１から請求項４に記載の発明によれば、入力されるデータに狂いが生じたら、正確な測定が可能であるように自動校正する分光測定用データ取り込み方法を提供することができた。
また、請求項５から請求項７に記載の発明によれば、入力されるデータに狂いが生じたら、正確な測定が可能であるように自動校正する分光測定用データ取り込み方法をコンピュータに実行させるためのコンピュータプログラムを提供することができた。
【図面の簡単な説明】
【図１】本発明の実施形態を示すブロック図である。
【図２】第一の実施形態を示すフローチャートである。
【図３】第二の実施形態を示すフローチャートである。
【図４】ハードウエア構成を示すブロック図である。
【図５】第二の実施形態を示すブロック図である。
【符号の説明】
１：高周波発生装置            ２：高周波振動子(ピエゾ素子)
３：音響光学可変フィルタ      ４：光源
５：集光レンズ                ６：光ファイバ
７：非測定対象                ８：光ファイバ
９：集光レンズ              １０：受光素子
１１：光電変換部              １２：演算制御部
１３：表示部                  １４：電信部
ａ：高周波                    ｂ：光
ｃ：照射光                    ｄ：受光
ｅ：アナログ検出信号          ｆ：デジタル検出信号
【図１】
2004198161.tif 000003
【図２】
2004198161.tif 000004
【図３】
2004198161.tif 000005
【図４】
2004198161.tif 000006
【図５】
2004198161.tif 000007